(57)【特許請求の範囲】
【請求項１】
テープを位置決め保持可能であり、ドアサッシュに車両外側から装着されることにより、保持したテープをドアサッシュの縦材と横材との交差部に位置決めする位置決め治具と、
前記ドアサッシュのテープ貼付け面の両縁に夫々回転可能に係合する一対のガイドローラと、前記ガイドローラに先行してドアサッシュのテープ貼付け面の両縁に夫々回転可能に係合する一対の案内ローラと、を夫々回転可能に支持して、互いに接近離反方向に平行移動可能であり且つ付勢手段により互いに接近する方向に付勢され、前記位置決め治具に保持したテープをドアサッシュのテープ貼付け面に対して位置決めする一対の案内板と、
前記位置決め治具に保持したテープの貼付け方向部分の背面に位置して、ドアサッシュのテープ貼付け面上に回転しつつ接触してテープをドアサッシュ貼付け面に押付けて貼付ける貼付けローラと、を備え、
前記位置決め治具に対して抜き差し可能に嵌合する連結部を介して前記位置決め治具に対して互いの相対位置と相対姿勢を規定して一体に連結可能であり且つ互いの相対姿勢を保持した状態で分離可能に構成され、
前記位置決め治具と連結部を介して一体に連結して前記位置決め治具をドアサッシュに装着した位置決め状態から位置決め治具に対する連結部による連結状態を分離させて、テープをドアサッシュ外面に貼付ける貼付治具と、から構成したことを特徴とするテープ貼付治工具。
【請求項２】
前記位置決め治具は、ベース部材からドア内方に向けて突出する位置決めピンによりテープを位置決めするものであり、
ドアサッシュの横材に係合する一対の爪を備え、一方の爪は前記ベース部材に固定され、他方の爪は一方の爪に接近離反方向に移動可能であり且つベース部材を貫通したノブによりドア外方から離反方向に操作可能であることを特徴とする請求項１に記載のテープ貼付治工具。
【請求項３】
前記ガイドローラおよび案内ローラは、互に接近離反方向に平行移動可能であり且つ付勢手段により互に接近する方向に付勢された一対の案内板に回転可能に配置され、
前記一対の案内板は、固定手段により開放した所定間隔に保持可能となっていることを特徴とする請求項１または請求項２に記載のテープ貼付治工具。
【請求項４】
テープを位置決め保持可能であり、ドアサッシュに車両外側から装着されることにより、保持したテープをドアサッシュの縦材と横材との交差部に位置決めする位置決め治具と、
前記位置決め治具に対して抜き差し可能に嵌合する連結部を介して互いの相対位置と相対姿勢を規定して一体に連結可能であり且つ互いの相対姿勢を保持した状態で分離可能に構成され、ドアサッシュのテープ貼付け面の両縁に夫々ガイドローラおよび案内ローラを回転可能に係合させると共にドアサッシュのテープ貼付け面上に転動しつつ接触する貼付けローラによりテープをドアサッシュ貼付け面に押付ける貼付け治具と、から構成されたテープ貼付け治工具を備え、
前記貼付け治具は、位置決め治具に連結部を介して一体に連結された状態において、前記位置決め治具に保持したテープの貼付け方向部分を保持し、
前記位置決め治具がドアサッシュに装着されることによりドアサッシュに対して位置決めされ、
前記位置決め状態において、ドアサッシュのテープ貼付け面の両縁に夫々ガイドローラおよび案内ローラを回転可能に係合させると共にドアサッシュのテープ貼付け面上に転動しつつ接触する貼付けローラによりテープをドアサッシュ貼付け面に押付け、
前記位置決め状態から位置決め治具に対する連結部による連結状態を分離させて、テープをドアサッシュ外面に貼付けることを特徴とするテープ貼付け方法。
【発明の詳細な説明】
【０００１】
【発明の属する技術分野】
本発明は、自動車のドアサッシュ外面へのテープ貼付治工具に関し、特に、幅自体が変化するドアサッシュに対して好適なテープ貼付治工具およびテープ貼付け方法に関するものである。
【０００２】
【従来の技術】
従来から自動車のドアサッシュ外面に装飾テープを貼付けることで車両の外観の見映えを向上させるようにしており、その貼付を容易且つ迅速にしかも正確に貼付ける貼付工具、若しくは、貼付治具が知られており、例えば、特開平９−５２５８５号公報、特開２００１−３９３６５号公報に開示されたものがある。
【０００３】
前者の貼付工具は、ドアサッシュのテープが貼付けられる側（車両外側）から、貼付テープを貼付面の背面から保持するテープガイドをサッシュ外面に押付け、このテープガイドをドアサッシュの幅方向外縁に夫々係合する爪により位置決めする。
【０００４】
引き続き、貼付テープの台紙を剥がしながらテープガイドを爪とともにサッシュが延びている方向にスライド移動させることで、テープをサッシュ外面に貼付けるものである。
【０００５】
この貼付工具においては、車両デザイン等からサッシュのカーブに追従すべく一方の爪を幅方向に移動させて、テープ幅方向への変化に追従させている。
【０００６】
後者の貼付治具は、ドアサッシュの縦材と横材とが交差しているコーナにおいて、ドアサッシュ内面（車室内側）から、サッシュ横材に横材ホルダを係合させ、サッシュの縦材に縦材ホルダを係合させて治具本体をサッシュに位置決めし、この状態の治具本体の係合突起にテープの位置決め穴を係合させてテープの位置決めを行う。
【０００７】
そして、その位置決め状態で、テープの離型紙を半分程度剥がしてスキージ等で押圧しながら貼付位置を確認し、正規位置であると判断した後に、テープの離型紙を全て剥がしてテープの残り部分を縦材に貼付けるようにしている。
【０００８】
【発明が解決しようとする課題】
しかしながら、前者においては、サッシュの幅方向の変化に対しては爪位置の移動で追従するものの、テープ自体は一定の幅のテープガイド上に載置され案内されるのみであるため、幅自体が変化するサッシュへ幅が変化するテープを供給する場合、テープの幅方向の位置決めを考慮していない。
【０００９】
従って、幅自体が変化するサッシュに正確に位置決めしてテープを貼付けることができないものであった。
【００１０】
また、後者においては、幅自体が変化するサッシュへのテープの貼付に関するものであるが、テープ位置決め後のテープ貼付は、離型紙を半分程度剥がして部分的に貼付けて貼付け位置を確認し、確認後にテープの全面を貼付ける手作業であり、微細な作業を伴い作業効率を向上できない不具合があった。
【００１１】
また、部分的に貼付けた状態で貼直しが必要となる場合には、テープを剥がすときテープに皺がよりそのまま貼直しできず、新しいテープで新規に貼付作業を為直さなければならない不具合があり、接着力の強い高グロス・サッシュテープについてはこの不具合が頻繁となり、この点でも作業効率を向上できない不具合があった。
【００１２】
そこで本発明は、上記問題点に鑑みてなされたもので、幅自体が変化するドアサッシュに対しても作業能率のよいテープ貼付治工具およびテープ貼付け方法を提供することを目的とする。
【００１３】
【課題を解決するための手段】
第１の発明は、（実施例に付した符号とともに説明すると）テープ（７０）を位置決め保持可能であり、ドアサッシュ（６０）に車両外側から装着されることにより、保持したテープ（７０）をドアサッシュ（６０）の縦材（６２）と横材（６１）との交差部（６４）に位置決めする位置決め治具（１０）と、前記ドアサッシュ（６０）のテープ貼付け面（６３）の両縁に夫々回転可能に係合する一対のガイドローラ（３３）と、前記ガイドローラ（３３）に先行してドアサッシュ（６０）のテープ貼付け面（６３）の両縁に夫々回転可能に係合する一対の案内ローラ（３４）と、を夫々回転可能に支持して、互いに接近離反方向に平行移動可能であり且つ付勢手段（３９）により互いに接近する方向に付勢され、前記位置決め治具（１０）に保持したテープ（７０）をドアサッシュ（６０）のテープ貼付け面（６３）に対して位置決めする一対の案内板（３１、３２）と、前記位置決め治具（１０）に保持したテープ（７０）の貼付け方向部分（７５）の背面に位置して、ドアサッシュ（６０）のテープ貼付け面（６３）上を転動しつつ接触してテープ（７０）をドアサッシュ貼付け面（６３）に押付けて貼付ける貼付けローラ（３６）と、を備え、前記位置決め治具（１０）に対して抜き差し可能に嵌合する連結部（１４）を介して前記位置決め治具（１０）に対して互いの相対位置と相対姿勢を規定して一体に連結可能であり且つ互いの相対姿勢を保持した状態で分離可能に構成され、前記位置決め治具（１０）と連結部（１４）を介して一体に連結して前記位置決め治具（１０）をドアサッシュ（６０）に装着した位置決め状態から位置決め治具（１０）に対する連結部（１４）による連結状態を分離させて、テープ（７０）をドアサッシュ（６０）外面に貼付ける貼付け治具（３０）と、から構成したことを特徴とする。
【００１４】
第２の発明は、第１の発明において、前記位置決め治具は、ベース部材からドア内方に向けて突出する位置決めピンによりテープを位置決めするものであり、ドアサッシュの横材に係合する一対の爪を備え、一方の爪は前記ベース部材に固定され、他方の爪は一方の爪に接近離反方向に移動可能であり且つベース部材を貫通したノブによりドア外方から離反方向に操作可能であることを特徴とする。
【００１５】
第３の発明は、第１または第２の発明において、前記ガイドローラおよび案内ローラは、互に接近離反方向に平行移動可能であり且つ付勢手段により互に接近する方向に付勢された一対の案内板に回転可能に配置され、前記一対の案内板は、固定手段により開放した所定間隔に保持可能となっていることを特徴とする。
【００１６】
第４の発明は、テープを位置決め保持可能であり、ドアサッシュに車両外側から装着されることにより、保持したテープをドアサッシュの縦材と横材との交差部に位置決めする位置決め治具と、前記位置決め治具に対して抜き差し可能に嵌合する連結部を介して互いの相対位置と相対姿勢を規定して一体に連結可能であり且つ互いの相対姿勢を保持した状態で分離可能に構成され、ドアサッシュのテープ貼付け面の両縁に夫々ガイドローラおよび案内ローラを回転可能に係合させると共にドアサッシュのテープ貼付け面上に転動しつつ接触する貼付けローラによりテープをドアサッシュ貼付け面に押付ける貼付け治具と、から構成されたテープ貼付け治工具を備え、前記貼付け治具は、位置決め治具に連結部を介して一体に連結された状態において、前記位置決め治具に保持したテープの貼付け方向部分を保持し、前記位置決め治具がドアサッシュに装着されることによりドアサッシュに対して位置決めされ、前記位置決め状態においてドアサッシュのテープ貼付け面の両縁に夫々ガイドローラおよび案内ローラを回転可能に係合させると共にドアサッシュのテープ貼付け面上に転動しつつ接触する貼付けローラによりテープをドアサッシュ貼付け面に押付け、前記位置決め状態から位置決め治具に対する連結部による連結状態を分離させて、テープをドアサッシュ外面に貼付けることを特徴とする。
【００１８】
【発明の効果】
したがって、第１、４の発明では、貼付治具は、テープをドアサッシュに位置決めする位置決め治具に対して前記ドアサッシュの縦材に沿うよう着脱可能に連結されているため、位置決め治具と貼付治具との両者にテープをセットした状態とでき、ドアサッシュにセットする前のテープ取付け作業性がよい。
また、位置決め治具と貼付治具とにテープをセットした状態でドアサッシュに一体として位置決めできるため、ドアサッシュへの取付け作業性も向上する。
しかも、位置決め治具から貼付治具を分離移動させるのみで、ドアサッシュにテープを保持して貼付できるため、テープの貼付精度も向上する。
また、テープの位置決めに引き続き、テープ貼付作業に移行できるので、作業性も向上し、作業時間も短縮できる。
【００１９】
第２の発明では、第１の発明の効果に加えて、位置決め治具の一対の爪の開閉は、ベース部材の背面からノブにより操作できるため、テープを保持した状態でドアの外側からドアサッシュに装着でき、ドアサッシュへの着脱作業性が向上する。
【００２０】
第３の発明では、第１または第２の発明の効果に加えて、一対の案内板は、固定手段によって所定間隔だけ開放した位置で保持可能であるため、開放状態において、テープを装着する際、テープを装着した状態で貼付治具をドアサッシュに装着する際に、そのまま装着でき、作業性が向上する。
【００２６】
【発明の実施の形態】
以下、本発明の一実施形態を添付図面に基づいて説明する。
【００２７】
図１は、本発明を適用したテープ貼付治工具１の一例を示し、テープをドアサッシュに装着してテープの位置決めする位置決め治具１０と、位置決め治具１０に連結して位置決めされた状態からテープをドアサッシュ外面に貼付ける貼付治具３０とから構成されている。
【００２８】
なお、ここで、テープ貼付治工具１と称する場合は、位置決め治具１０と貼付治具３０との両者を含めての総称である。
【００２９】
前記位置決め治具１０は、図２に示すように、ドアサッシュの縦材の上端と連結されたドアサッシュ横材に車両外側から係合する上下爪１１、１２と、ドアサッシュ縦材の上方に位置するテープ位置決めピン１３と、貼付治具３０への連結部１４とをベースプレート１５上に備える。
【００３０】
前記上下爪１１、１２は、ベースプレート１５に固定された下爪１１と、この下爪１１とベースプレート１５上端から差し出されたプレート１６との間に差し渡されたガイドピン１７に摺動可能に配置された上爪１２とからなる。
【００３１】
前記上下爪１１、１２の互に対向する面には、ドアサッシュ横材の上下形状に沿う形状に形成された係合部１８を備え、ガイドピン１７周りに配置されプレート１６に着座するコイルスプリング１９により上爪１２は下爪１１側に接近するよう押圧されている。
【００３２】
前記上爪１２はベースプレート１５に設けた穴２０を貫通してベースプレート１５背面に突出するノブ２１を備え、ベースプレート１５に固定されたプレート１６の背面を同様にノブ２２として突出させることで、ノブ２１、２２同士を接近させるよう摘まむことで上爪１２を下爪１１から離間させることができる。
【００３３】
前記テープ位置決めピン１３は、前記上下爪１１、１２が配置された側に立設されてサッシュテープの位置決め穴を係合保持する２本のピン１３で構成され、上下爪１１、１２をコイルばね１９で接近させ、ドアサッシュ縦材へ接触させてドアサッシュ横材に係合させた位置決め時に、ドアサッシュの横材と縦材との連結部の上方に位置される。
【００３４】
前記テープ位置決めピン１３は、位置決め時にテープを位置決め孔により保持して、テープをドアサッシュに対して正規位置に位置するよう保持する。
【００３５】
前記貼付治具３０への連結部１４は、図３に示すように、ベースプレート１５の背面（車両外側）に位置して固定され、後述する貼付治具３０から上方へ突出する連結軸４８と結合されて、位置決め治具１０と貼付治具３０とを一体化させる。図示の連結部１４は、上下方向に穿けた連結孔２３に構成されている。
【００３６】
前記貼付治具３０は、図４に示すように、一対の案内板３１、３２（第１、第２案内板）と、第１、第２案内板３１、３２の対向する面に夫々配置され、ドアサッシュのテープ貼付き面の両端縁背面に係合するガイドローラ３３、３３と、第１、第２案内板３１、３２の対向する面に夫々配置され、ドアサッシュのテープ貼付き面の両端縁に係合する案内ローラ３４、３４とを備える。
【００３７】
また、前記貼付治具３０は、第１案内板３１に固定され、第２案内板３２の背面に延長された保持部材としての保持板３５と、第２案内板３２を貫通して第１案内板３１と保持板３５間に回転可能に支持された貼付ローラ３６と、第１、第２案内板３１、３２を互に最も離れた位置に保持する固定手段３７とから構成されている。
【００３８】
前記第１、第２案内板３１、３２は、図５に示す説明図により概略の図示のように、第１案内板３１の両端に配置したガイド手段３８により両者間の間隔が自在に変更可能となっている。
【００３９】
前記ガイドローラ３３、３３は、第１、第２案内板３１、３２のガイド手段３８同士を含む面から離間した面上であって、位置決め治具１０にやや接近した位置において、第１、第２案内板３１、３２上に夫々対向して回転可能に支持されている。
【００４０】
前記ガイドローラ３３、３３の形状は、円板部分３３Ａから先端の軸部分３３Ｂまでを滑らかに窪んだ曲面で連結した形状であり、軸部分３３Ｂに近い曲面部分でドアサッシュのテープ貼付面の両端縁の背面に回り込んで回転しつつ係合するよう構成されている。
【００４１】
前記案内ローラ３４は、前記離間した面上であって前記ガイドローラ３３から位置決め治具１０とは反対の側に大きく離れた位置において、第１、第２案内板３１、３２上に夫々対向して回転可能に支持されている。
【００４２】
前記案内ローラ３４、３４の形状は、ガイドローラ３３と同様、円板部分３４Ａから先端の軸部分３４Ｂまでを滑らかに窪んだ曲面で連結した形状であり、主に円板部分３４Ａに近い曲面部分でドアサッシュのテープ貼付面の両端縁に回転しつつ係合するよう構成されている。
【００４３】
前記貼付ローラ３６は、テープ背面に接してテープをドアサッシュ貼付面に押圧するものであり、前記ガイドローラ３３に接近した位置において、第２案内板３２を貫通して第１案内板３１と保持板３５との間に回転可能に支持されている。
【００４４】
前記貼付ローラ３６の第２案内板３２と保持板３５との間には、その周囲にコイルスプリング３９が配置され、このコイルスプリング３９は保持板３５と第２案内板３２とに着座することで第２案内板３２を第１案内板３１に向けて押圧付勢し、第１、第２案内板３１、３２を接近させるよう機能する。
【００４５】
前記固定手段３７は、前記保持板３５を貫通して軸方向に移動可能に配置したハンドル軸４０を備え、ハンドル軸４０は外端が膨径され、ハンドル軸４０の内端は第２案内板３２に対し相対回転は許容するが軸方向には一体となって移動可能に連結される。
【００４６】
図６に示すごとく、前記ハンドル軸４０の外周にはハンドル軸４０の軸方向に延びた軸方向係合溝４１が形成され、この軸方向係合溝４１の先端は円周方向に曲折された周方向係合溝４２に形成されている。
【００４７】
前記ハンドル軸４０が貫通した保持板３５には、図７に断面図示するごとく、ハンドル軸４０の貫通穴４３に開口させて横穴４４が形成され、横穴４４内に挿入したチェックボール４５を背部に配置された止めねじ４６で保持されたスプリング４７により貫通孔４３側に押圧して、チェックボール４５をハンドル軸４０の係合溝４１、４２のいずれかに係合させる。
【００４８】
このため、第２案内板３２、および、ハンドル軸４０は、チェックボール４５が軸方向係合溝４１に係合中は、自由に軸方向移動可能（図６中の矢印ａ、ｃ参照）であり、貼付ローラ３６に巻回したコイルスプリング３９の付勢力により図８に示すように第１、第２案内板３１、３２は最接近して位置される。
【００４９】
また、ハンドル軸４０を軸方向に引き出して回転させる（図６中の矢印ｂ参照）と、チェックボール４５が周方向係合溝４２に係合し、図９に示すように、第１、第２案内板３１、３２は最も間隔を開けた開放状態で固定される。
【００５０】
前記第１案内板３１に固定された保持板３５には、位置決め治具１０の連結部１４へ嵌合する連結軸４８が配置されている。
【００５１】
また、前記第１案内板３１には、前記固定手段３７のハンドル軸４０と対応する外周位置には、先端が膨径したハンドル４９が突出状態で固定されている。
【００５２】
また、前記第２案内板３２には、テープの離型紙をテープ本体から分離させる分離棒５０が、ガイドローラ３３と案内ローラ３４との間の中間位置で貼付ローラ３６よりも後方に位置して第１案内板３１に向けて立設されている。この分離棒５０は第１案内板３１から第２案内板３２に向けて立設させてもよい。
【００５３】
図１０は、位置決め治具１０と貼付治具３０とを連結部１４、連結軸４８により連結し、位置決め治具１０の上下爪１１、１２により前右ドアのドアサッシュ６０の横材６１に係合させた状態を、位置決め治具１０の上下爪１１、１２が位置する部分を含む上下面で断面図示したものである。
【００５４】
図１０においては、ドアサッシュ６０の横材６１の断面部分が示され、その断面部分６１に連なる縦材６２が向こう側に図示されている。
【００５５】
また、図１１は、同じ状態を位置決めピン１３を含む上下面で断面図示したものである。
【００５６】
なお、図中のＸ方向は車両左右方向、Ｙ方向は車両前後方向、Ｚ方向は車両上下方向を夫々示すものである。また、ＦＲは車両前方を示し、Ｘ（０）は車両左右方向の車両中心方向を示す。
【００５７】
図１０に示すドアサッシュ６０の図中右側が室内側であり、図中左側が車外に面する部分であり、車外に面する部分に略平面に形成されたテープ貼付面６３が形成され、そのテープ貼付面６３に沿って薄く配置された部材がテープ７０である。
【００５８】
前記テープ７０の上端は位置決めピン１３にその位置決め穴７１が係合することで保持され、テープ７０の下方は一部離型紙７２が剥がされて貼付ローラ３６でサッシュ６０のテープ貼付面６３に貼付けられている状態を示している。
【００５９】
図１２〜１５は、図１０のＡ−Ａ線〜Ｄ−Ｄ線による断面図である。図１２においては、保持板３５は省略されているが、ガイド手段３８を含む第１、第２案内板３１、３２の断面図であり、第２案内板３２から立設された円筒部材５１の内外周に、第１案内板３１から立設された筒部材５２の内周とピン５３の外周とが摺接している。
【００６０】
このため、第１、第２案内板３１、３２は間隔を自由に変更可能であり、両者の間にドアサッシュ６０の縦材６２が位置し、そのテープ貼付面６３がガイド手段３８に面している。
【００６１】
図１３においては、ハンドル軸４０を含む断面図であり、ハンドル軸４０の先端が第２案内板３２に対し回転可能であるが軸方向には一体に移動するよう２個のスナップリング５４が係合されている状態を示している。
【００６２】
図１４においては、貼付ローラ３６を含む断面図であり、コイルスプリング３９により付勢された第２案内板３２により、第１、第２案内板３１、３２に設けた一対のガイドローラ３３がドアサッシュ６０のテープ貼付面６３を構成するサッシュ部分の両縁の背面に回転しながら接触している。
【００６３】
前記一対のガイドローラ３３は、テープ７０を挟んでドアサッシュ６０の縦材６２のテープ貼付面６３に貼付ローラ３６を押圧接触させる。
【００６４】
図１５においては、案内ローラ３４がある部分の断面図であり、ドアサッシュ６０のテープ貼付面６３の両縁に案内ローラ３４の円板部３４Ａ近辺が回転しながら接触することにより、テープ貼付面６３の幅の変化に案内ローラ３４が応答して第１、第２案内板３１、３２の間隔を調整する。
【００６５】
このため、案内ローラ３４は、テープ貼付面６３の両縁に係合する円板部３４Ａが大きく形成されており、先に説明したガイドローラ３３はこの案内ローラ３４とは異なり、テープ貼付面６３の両縁の背面に接触する軸部３３Ｂが長く構成されている。
【００６６】
次に、このテープ貼付治工具１の使用方法について、構造の詳細は省略して説明用に画いた概略図である図１６〜２２に基づいて説明する。なお、以下の説明は車両の前右ドアのドアサッシュ６０にテープ７０を貼付ける場合について説明している。
【００６７】
先ず、図１６に示すごとく、位置決め治具１０と貼付治具３０とを連結部１４（４８）で連結する。
【００６８】
次いで、貼付治具３０のハンドル軸４０を矢印▲１▼の方向に引き出し、第２案内板３２をコイルスプリング３９に抗して保持板３５に接近させ、その状態を維持しつつ、ハンドル軸４０を矢印▲２▼の方向に回転させる。
【００６９】
この回転により、固定手段３７のチェックボール４５が軸方向係合溝４１への係合から円周方向係合溝４２への係合に移り、ハンドル軸４０の軸方向の移動が阻止され、第１、第２案内板３１、３２の間隔を広げる。
【００７０】
次に、図１７に示すごとく位置決め治具１０にテープ７０をセットする。このテープ７０のセットは、先ず、図１７（Ｂ）の形状のテープ７０の横方向部分７４を図１７（Ａ）の位置決め治具１０の上下爪１１、１２間に挿入する。
【００７１】
次いで、テープ７０の横方向部分７４と縦方向部分７５との交差部７６の上部に設けられている一対の位置決め孔７１を位置決め治具１０の位置決めピン１３に嵌合して図１７（Ｃ）のように行われる。
【００７２】
次に、テープ７０の縦方向部分７５を貼付治具３０にセットする。このテープ７０のセットは、図１８（Ａ）、（Ｂ）のごとくテープ７０の縦方向部分７５を拡開されている第１、第２案内板３１、３２の間の貼付ローラ３６とその後方の分離棒５０との間を通して挿入する。
【００７３】
続いて、テープ７０の交差部分７６から分離されている縦方向部分７５の離型紙７２を上部から貼付治具３０の背面部までを図１８（Ｃ）のように剥離する。
【００７４】
次に、テープ７０を保持した状態の位置決め治具１０と貼付治具３０とをドアサッシュ６０に図１９（貼付治具の図示は省略している）の手順でセットする。図１９（Ａ）〜（Ｃ）は、車両の外側から図示しており、図１９（Ｄ）、（Ｅ）はドアの内側から図示したものである。
【００７５】
前記ドアサッシュ６０へのセットは、図１９（Ａ）に示すように位置決め治具１０の背面に突出しているプレート１６からのノブ２２と上爪１２からのノブ２１とを図１９（Ｂ）のごとく掴むことで上爪１２を下爪１１から上方へ離して両爪１１、１２間の間隔を開く。
【００７６】
そして、その開いた状態で図１９（Ｃ）のごとく、ドアサッシュ６０の縦材６２との交差部６４の近傍の横材６１を跨がせ、続いて下爪１１をドアサッシュ６０の縦材６２に押し当てた状態でノブ２１、２２の掴みを開放すると、上爪１２が下爪１１に接近して上下爪１１、１２により横材６１を挟み込み、図１９（Ｄ）、（Ｅ）のごとくセットされる。
【００７７】
即ち、位置決め治具１０および貼付治具３０は、上下爪１１、１２がドアサッシュ６０の横材６１を挟み込むことで、車両のＸ方向、Ｚ方向が位置決めされ、下爪１１が縦材６２に接触されることで車両のＹ方向が位置決めされる。
【００７８】
次に貼付治具３０により図２０の手順によりドアサッシュ６０の縦材６２のテープ貼付面６３にテープ７０を貼付ける。
【００７９】
この貼付においては、先ず、図２０（Ａ）（ドア内方から図示）のごとくハンドル軸４０を矢印▲３▼方向に回転させて、ハンドル軸４０の軸方向の移動を阻止している固定手段３７の円周方向係合溝４２から軸方向係合溝４１へチェックボール４５の係合する溝を変更し、ハンドル軸４０および第２案内板３２を移動可能とする。
【００８０】
そして、コイルスプリング３９により第２案内板３２が第１案内板３１に接近作動され、１対のガイドローラ３３と一対の案内ローラ３４とを図２０（Ｂ）（ドア内方から図示）に示すごとくドアサッシュ６０の縦材６２のテープ貼付面６３の背面に係合させる。
【００８１】
次いで、ハンドル軸４０、および、ハンドル４９を利用して貼付治具３０を車両下側に引くことで、位置決め治具１０との連結部１４、４８での連結状態を解除し、貼付治具３０を図２０（Ｃ）（車両外方から図示）のごとく矢印▲４▼方向に移動させる。
【００８２】
貼付治具３０の移動は、分離棒５０で離型紙７２が剥がされたテープ７０が貼付ローラ３６に背面側から供給されつつ、貼付ローラ３６がテープ７０をテープ貼付面６３に貼り付けていく。
【００８３】
ドアサッシュ６０の幅が増加してゆくと、幅の変化は先行してテープ貼付面６３の両縁に係合している一対の案内ローラ３４により第１、第２案内板３１、３２の間隔を拡大させてゆくことで追従される。
【００８４】
ドアサッシュ６０の縦材６２へのテープ７０の貼付が終了すると、貼付治具３０がサッシュ６０から取外される。この貼付治具３０の取外しは、図１６に示す場合と同様に、ハンドル軸４０を軸方向に引き出し、次いで回転させることで、第１、第２案内板３１、３２の間隔を開くことで取り外せる。
【００８５】
次に、ドアサッシュ６０の横材６１へ組付けている位置決め治具１０を取外す。この取外しは、セット時と同様に、位置決め治具１０の背面に突出しているプレート１６からのノブ２２と上爪１２からのノブ２１とを、図２１（Ａ）（車両外方からの図示）のごとく、掴むことでなされる。すると、上爪１２は下爪１１から上方へ離され、両爪１１、１２間の間隔が開き、位置決め治具１０をドアサッシュ６０から取外すことができる。
【００８６】
この状態では、図２１（Ｂ）（車両外方からの図示）に示すごとく、ドアサッシュ６０には、縦材６２に貼付けられ、縦材６２と横材６１との交差部６４および横材６１に貼付けられていないテープ７０が残る。
【００８７】
次に、図２１（Ｂ）のドアサッシュ６０の縦材６２と横材６１との交差部６４（ハッチング部分）の背面の離型紙７２を剥がしてへら等により貼付ける。この貼付は、貼付面積が小さく、しかも縦材６２に既に貼付けられているテープ７０を基準に上方に伸ばしてゆくようにすることで容易に皺なく貼付可能である。
【００８８】
次に、図２２（車両外方からの図示）に示すように、貼付治具３０にテープ７０の横方向部分７４を図１８に示す要領でセットし、貼付治具３０を図２０の要領でドアサッシュ６０の横材６１にセットする。
【００８９】
引き続き、貼付治具３０をハンドル４０、４９を用いてドアサッシュ６０の横材６１に沿って矢印▲５▼方向に移動させることで、横材６１のテープ貼付面６３にテープ７０の横方向部分７４を貼付けることができる。
【００９０】
本実施の態様においては、以下に記載した効果を奏することができる。
【００９１】
コイルスプリング３９により接近付勢される一対の案内板３１、３２が案内手段３８により互に接近離反方向に平行移動可能であり、対向する面に、ドアサッシュ６０のテープ貼付面６３を形成する部材の両縁の背面に回転しながら係合する一対のガイドローラ３３と、前記ガイドローラ３３に先行して、テープ貼付面６３を形成する部材の両縁に回転しながら係合する一対の案内ローラ３４とを設けている。
【００９２】
このため、テープ貼付面６３の幅が変化する際には貼付けるべきテープ７０の幅も変化するが、一対の案内板３１、３２の間隔が追従して変化し、テープ７０をテープ貼付面６３にずれることなく案内できる。
【００９３】
また、貼付ローラ３６は、他方の第２案内板３２を貫通して、一方の第１案内板３１とこの第１案内板３１から他方の第２案内板３２の背面に延設された保持板３５との間に回転可能に保持されているため、一対の案内板３１、３２の間隔が変化しても、テープ７０の貼付幅の全範囲にわたって押圧でき、万遍なく貼付けることができる。
【００９４】
また、一対の案内板３１、３２は、固定手段３７によって所定間隔だけ開放した位置で保持可能であるため、開放状態において、テープ７０を装着する際、テープを装着した状態で貼付治具３０をドアサッシュ６０に装着する際に、そのまま装着でき、作業性が向上する。
【００９５】
さらに、貼付治具３０は、テープ７０をドアサッシュ６０に位置決めする位置決め治具１０に対して前記ドアサッシュ６０の縦材６２に沿うよう着脱可能に連結されているため、位置決め治具１０と貼付治具３０との両者にテープ７０をセットした状態とでき、ドアサッシュ６０にセットする前のテープ７０の取付け作業性がよい。
【００９６】
また、位置決め治具１０と貼付治具３０とにテープ７０をセットした状態でドアサッシュ６０に一体として位置決めできるため、ドアサッシュ６０への取付け作業性も向上する。
【００９７】
しかも、位置決め治具１０から貼付治具３０を分離移動させるのみで、ドアサッシュ６０にテープ７０を保持して貼付けできるため、テープ７０の貼付精度も向上する。
【００９８】
また、テープ７０の位置決めに引き続き、テープ貼付作業に移行できるので、作業性も向上し、作業時間も短縮できる。
【００９９】
位置決め治具１０の一対の爪１１、１２の開閉は、ベース部材１５の背面からノブ２１、２２により操作できるため、テープ７０を保持した状態でドアの外側からドアサッシュ６０に装着でき、ドアサッシュ６０への着脱作業性が向上する。
【０１００】
なお、上記実施形態において、位置決め治具１０と貼付治具３０とは、連結孔２３と連結軸４８とで形成される連結部で連結されるものについて説明したが、図示はしないが、互いの相対位置と相対姿勢が規定されればよいのであるから、２本のピンとピンが挿入される穴とで構成することもできる。
【０１０１】
また、連結部は、チェックボールにより所定以上の操作力を加えた場合に、互に離脱するようにしてもよい。
【図面の簡単な説明】
【図１】本発明の一実施形態を示すテープ貼付治工具の概略構成図。
【図２】同じく位置決め治具の斜視図。
【図３】位置決め治具の背面部の斜視図。
【図４】同じく貼付治具の背面からの斜視図。
【図５】貼付治具の第１、第２案内板のガイド手段の概略を示す斜視図。
【図６】貼付治具の固定手段の斜視図。
【図７】同じく固定手段のハンドル軸の貫通部の断面図。
【図８】貼付治具の閉じた状態の斜視図。
【図９】貼付治具の開いた状態の斜視図。
【図１０】位置決め治具と貼付治具とを合体させたテープ貼付治工具をドアサッシュの横材へ取付けた状態を示す断面図。
【図１１】位置決め治具と貼付治具とを合体させたテープ貼付治工具のテープ位置決め状態を示す断面図。
【図１２】図１０のＡ−Ａ線による断面図。
【図１３】図１０のＢ−Ｂ線による断面図。
【図１４】図１０のＣ−Ｃ線による断面図。
【図１５】図１０のＤ−Ｄ線による断面図。
【図１６】位置決め治具と貼付治具とを合体させたテープ貼付治工具のテープ貼付の準備状態を示す斜視図。
【図１７】テープの位置決め治具への装着工程を（Ａ）〜（Ｃ）に分割して示す斜視図。
【図１８】テープの貼付治具への装着工程を、正面側（Ａ）、裏面側（Ｂ）、（Ｂ）の拡大状態（Ｃ）で夫々示す斜視図。
【図１９】テープ貼付治工具のドアサッシュへの装着工程を（Ａ）〜（Ｅ）に分割して示す斜視図。
【図２０】テープ貼付治工具による貼付工程を（Ａ）（Ｃ）に分割して示す斜視図。
【図２１】位置決め治具の取外し工程を（Ａ）、（Ｂ）に分割して示す斜視図。
【図２２】貼付治具によるドアサッシュの横材への貼付状態を示す斜視図。
【符号の説明】
１  テープ貼付治工具
１０  位置決め治具
１１  下爪
１２  上爪
１３  位置決めピン
１４  連結部
１５  ベースプレート（ベース部材）
２１、２２  ノブ
３０  貼付治具
３１  第１案内板
３２  第２案内板
３３  ガイドローラ
３４  案内ローラ
３５  保持板
３６  貼付ローラ
３７  固定手段
３８  ガイド手段
３９  コイルスプリング
４０  ハンドル軸（ハンドル）
４１  軸方向係合溝
４２  周方向係合溝
４５  チェックボール
４７  スプリング
４８  連結軸
４９  ハンドル
５０  分離棒
６０  ドアサッシュ
６１  横材
６２  縦材
６３  テープ貼付面
６４  交差部
７０  テープ
７１  位置決め孔
７２  離型紙
７４  横方向部分
７５  縦方向部分
７６  交差部
【図１】
0004062891.tif 000002
【図２】
0004062891.tif 000003
【図３】
0004062891.tif 000004
【図４】
0004062891.tif 000005
【図５】
0004062891.tif 000006
【図６】
0004062891.tif 000007
【図７】
0004062891.tif 000008
【図８】
0004062891.tif 000009
【図９】
0004062891.tif 000010
【図１０】
0004062891.tif 000011
【図１１】
0004062891.tif 000012
【図１２】
0004062891.tif 000013
【図１３】
0004062891.tif 000014
【図１４】
0004062891.tif 000015
【図１５】
0004062891.tif 000016
【図１６】
0004062891.tif 000017
【図１７】
0004062891.tif 000018
【図１８】
0004062891.tif 000019
【図１９】
0004062891.tif 000020
【図２０】
0004062891.tif 000021
【図２１】
0004062891.tif 000022
【図２２】
0004062891.tif 000023